(57)【要約】【課題】電池に対して便利に充電することができる発電装置及びこの発電装置を備える携帯式電子装置を提供すること。【解決手段】本考案に係る発電装置は、収容空洞部を有する管状体と、前記収容空洞部の内部にスライド可能に設置される磁石と、前記管状体を囲んで固定され、且つ前記磁石の運動に伴って誘導電流を発生する誘導コイルと、前記収容空洞部の対向する両端に設けられる２つの弾性部品と、を備える。前記磁石は、スライドする過程において一方の弾性部品に衝突すると、前記一方の弾性部品によりリバウンドされて他方の弾性部品に向かってスライドされ、従って、前記誘導コイルに対する前記磁石の運動回数は増加し、前記誘導コイルが発生する誘導電流も増大する。【選択図】図１
0003182491.tif 000002
【実用新案登録請求の範囲】
【請求項１】
収容空洞部を有する管状体と、前記収容空洞部の内部にスライド可能に設置される磁石と、前記管状体を囲んで固定され、且つ前記磁石の運動に対応して誘導電流を発生する誘導コイルと、前記収容空洞部の対向する両端に設けられる２つの弾性部品と、を備える発電装置であって、
前記磁石は、スライドする過程において一方の弾性部品に衝突すると、前記一方の弾性部品によりリバウンドされて他方の弾性部品に向かってスライドされ、従って、前記誘導コイルに対する前記磁石の運動回数が増加し、前記誘導コイルが発生する誘導電流も増大することを特徴とする発電装置。
【請求項２】
前記２つの弾性部品は前記磁石とそれぞれ間隔をあけて設けられ、前記磁石は前記収容空洞部の一端まで運動すると、当該一端に位置する弾性部品に衝突して、該弾性部品を弾性変形させることを特徴とする、請求項１に記載の発電装置。
【請求項３】
前記磁石は、重力或いは慣性作用によって、前記管状体内で前記誘導コイルに対して往復スライドすることを特徴とする、請求項１又は２に記載の発電装置。
【請求項４】
前記誘導コイルは、前記管状体の中央部に巻きつけられ、前記誘導コイルの前記管状体に対する巻き数は５回〜６回であることを特徴とする、請求項１から３の何れか一項に記載の発電装置。
【請求項５】
前記管状体は、横断面が円形であり且つ滑らかな内表面を有し、前記磁石は円柱体であり且つ滑らかな外表面を有することを特徴とする、請求項１から４の何れか一項に記載の発電装置。
【請求項６】
順次に電気的に接続されている発電装置、電圧調節回路、充電回路及び電池を備える携帯式電子装置であって、
前記発電装置は、収容空洞部を有する管状体と、前記収容空洞部の内部にスライド可能に設置される磁石と、前記管状体を囲んで固定され、前記磁石の運動に対応して誘導電流を生成し、且つ両端が前記電圧調節回路にそれぞれ接続される誘導コイルと、前記管状体の対向する両端に設けられる２つの弾性部品と、含み、前記磁石は、スライドする過程において一方の弾性部品に衝突すると、前記一方の弾性部品によりリバウンドされて他方の弾性部品に向かってスライドされ、従って、前記誘導コイルに対する前記磁石の運動回数が増加し、さらに前記誘導コイルが発生する誘導電流も増大し、前記電圧調節回路は、前記誘導電流の電圧を前記電池の定格電圧に調節した後、前記充電回路を介して前記電池を充電することを特徴とする携帯式電子装置。
【請求項７】
整流回路をさらに備え、前記誘導コイルに対する前記磁石の運動方向に応じて、前記誘導コイルは電流の方向が異なる交流電流を発生し、前記誘導コイルの対向する両端は、前記整流回路を介して前記電圧調節回路に接続され、前記整流回路は前記誘導コイルが発生した交流電流を直流電流に変換した後、さらに前記電圧調節回路を介して前記直流電流の電圧を前記電池の定格電圧に変換することを特徴とする、請求項６に記載の携帯式電子装置。
【考案の詳細な説明】
【技術分野】
【０００１】
本考案は、発電装置及びこの発電装置を備える携帯式電子装置に関するものである。
【背景技術】
【０００２】
無線通信技術及び情報処理技術の発展に伴い、現在、携帯電話機及びノート型パソコンなどの小型の携帯式電子装置が、人々の日常生活の中で多く使用されている。従来の携帯式電子装置は、一般的に充電可能な電池（例えばリチウムイオン電池）を内部に設置することによって電気エネルギーを得る。
【０００３】
しかし、前記充電可能な電池は、充電する時に、固定電源に接続して電気エネルギーを得る。従って、固定電源がない場合、携帯式電子装置の電池に充電することができず、使用に不便である。
【考案の概要】
【考案が解決しようとする課題】
【０００４】
本考案は、従来の問題点に鑑みてなされたものであり、電池に対して便利に充電することができる発電装置及びこの発電装置を備える携帯式電子装置を提供することを目的とする。
【課題を解決するための手段】
【０００５】
上記の目的を達成するために、本考案に係る発電装置は、収容空洞部を有する管状体と、前記収容空洞部の内部にスライド可能に設置される磁石と、前記管状体を囲んで固定され、且つ前記磁石の運動に対応して誘導電流を発生する誘導コイルと、前記収容空洞部の対向する両端に設けられる２つの弾性部品と、を備える。前記磁石は、スライドする過程において一方の弾性部品に衝突すると、前記一方の弾性部品によりリバウンドされて他方の弾性部品に向かってスライドされ、従って、前記誘導コイルに対する前記磁石の運動回数が増加し、前記誘導コイルが発生する誘導電流も増大する。
【０００６】
また、上記の目的を達成するために、本考案に係る携帯式電子装置は、順次に電気的に接続されている発電装置、電圧調節回路、充電回路及び電池を備え、前記発電装置は、収容空洞部を有する管状体と、前記収容空洞部の内部にスライド可能に設置される磁石と、前記管状体を囲んで固定され、前記磁石の運動に対応して誘導電流を生成し、且つ両端が前記電圧調節回路にそれぞれ接続される誘導コイルと、前記管状体の対向する両端に設けられる２つの弾性部品と、含む。前記磁石は、スライドする過程において一方の弾性部品に衝突すると、前記一方の弾性部品によりリバウンドされて他方の弾性部品に向かってスライドされ、従って、前記誘導コイルに対する前記磁石の運動回数は増加し、さらに前記誘導コイルが発生する誘導電流も増大する。前記電圧調節回路は、前記誘導電流の電圧を前記電池の定格電圧に調節した後、前記充電回路を介して前記電池充電する。
【考案の効果】
【０００７】
従来の技術と異なり、本考案の発電装置は、磁石を誘導コイルに対して運動させることによって、この誘導コイルに誘導電流を生成させて、発電装置を備える携帯式電子装置内の電池を充電する。従って、本考案の発電装置を備える携帯式電子装置は、固定電源を必要とせず、装置自体の運動によって、発電装置の内部の磁石を発電装置の外周に巻きつけた誘導コイルに対して運動させることにより電池を充電できるので、使用に便利である。
【図面の簡単な説明】
【０００８】
【図１】本考案に係る発電装置の断面図である。
【図２】図１に示した発電装置を用いた携帯式電子装置の内部構造を示すブロック図である。
【考案を実施するための形態】
【０００９】
図１に示すように、本考案の実施形態に係る発電装置１０は、携帯電話機などの携帯式電子装置或いは自動車、電動バイクなどの電気エネルギーを消耗する装置に使用することが可能である。発電装置１０は、上記の各種装置自身の揺れなどによって運動し、電気エネルギーを生成してこれらの装置に充電する。以下の実施形態において、発電装置１０を備える携帯式電子装置１００を例として詳細に説明する。
【００１０】
発電装置１０は、管状体１１、磁石１３及び誘導コイル１５を備える。誘導コイル１５は、管状体１１に巻きついている。磁石１３は、管状体１１内にスライド可能に収納され、且つ自身の重力或いは慣性の作用により管状体１１内で往復スライドする。これにより、誘導コイル１５は、磁石１３の運動に対応して誘電電流を発生する。
【００１１】
管状体１１は略円柱状を呈し、且つその内部には磁石１３を収納するための収容空洞部１１１が設けられている。磁石１３は、収容空洞部１１１内でスライドすることができる。好ましくは、管状体１１の横断面は円形であり、且つ滑らかな内表面を有する。これにより、管状体１１の磁石１３に対する衝突及び摩擦によって生じる抵抗力を小さくすることができる。さらには、管状体１１はセラミックなどの非導電性材料からなることが好ましい。
【００１２】
磁石１３は永久磁石であり、その断面はほぼ矩形を呈すが、円柱体であることが好ましい。また、磁石１３のサイズと収容空洞部１１１のサイズとは互いに対応し、磁石１３と管状体１１とは同軸上に設置される。これによって、磁石１３は、収容空洞部１１１内でスライドする過程において、管状体１１に対して常に平行であることが確保される。さらに、磁石１３は、収容空洞部１１１内でスライドする時に受ける摩擦抵抗力を小さくするために、滑らかな外表面を有する。
【００１３】
誘導コイル１５は、一つの延在方向に沿って管状体１１の外周を囲んで固定されており、磁石１３の運動に対応して誘導電流を発生するために用いられる。磁石１３は、往復スライドするため、誘導コイルに対する磁石１３の運動方向に応じて、誘導コイル１５に異なる方向の電流を発生させる。つまり、誘導コイル１５は交流電流を発生する。本実施形態において、誘導コイル１５の巻き数の過多に起因して、誘導コイルの総長が長くなり、大きなエネルギー損失が発生することを防止するために、誘導コイル１５を管状体１１の中央部に巻きつけ、且つ誘導コイル１５の巻き数を５回〜６回にする。
【００１４】
また、発電装置１０は２つの弾性部品１７をさらに備える。２つの弾性部品１７は、管状体１１の収容空洞部１１１の対向する両端の開口をそれぞれ塞ぐように、且つ収容空洞部１１１内の磁石１３と所定の間隔をあけて設置されている。磁石１３がスライドする場合、発電装置１０の両端に位置する２つの弾性部品１７に衝突すると、該弾性部品１７によりリバウンドする。これにより、磁石１３の収容空洞部１１１内における運動回数は増加する。即ち、磁石１３の誘導コイル１５に対する運動回数が増加する。これに相応して、誘導コイル１５が発生する誘導電流も増大する。本実施形態において、２つの弾性部品１７はゴム製のガスケットであるが、変形例として、前記弾性部品１７は、一端は自由に伸び、他端は収容空洞部１１１の開口端に固定される誘導コイルスプリングを採用することもできる。
【００１５】
図２を併せて参照すると、本考案の実施形態に係る携帯式電子装置１００は、上記の発電装置１０以外に、整流回路３０、電圧調節回路５０、充電回路７０及び電池９０をさらに備える。発電装置１０、整流回路３０、電圧調節回路５０、充電回路７０及び電池９０は順次に電気的に接続されている。発電装置１０は、誘導コイル１５の対向する両端を介して整流回路３０に接続されて、発生した電流を整流回路３０に伝送する。整流回路３０は、発電装置１０が発生した交流電流を直流電流に変換した後、該直流電流を電圧調節回路５０に伝送する。電圧調節回路５０は、整流回路３０からの直流電流の電圧を、電池９０の定格電圧に変換した後、さらにそれを充電回路７０に伝送して、該充電回路７０を介して電池９０を充電する。
【００１６】
本考案の発電装置１０の作動原理は次の通りである。発電装置１０は、携帯式電子装置１００により動かされ、慣性作用或いは重力などにより収容空洞部１１１に沿って磁石１３を往復運動させる。磁石１３が、収容空洞部１１１の一端まで運動し、且つ当該端部に位置する弾性部品１７に衝突すると、該弾性部品１７は、弾性変形するが直ちに弾性力を解放して、磁石１３を収容空洞部１１１の他端に向かってスライドさせる。これにより、磁石１３の収容空洞部１１１内での往復スライド数が増加する。しかも、この過程において、磁石１３は、誘導コイル１５に対して絶えず運動して、誘導コイル１５に誘導電流を発生させる。
【００１７】
本考案の携帯式電子装置１００の作動原理は次の通りである。発電装置１０は、発生した交流電流を整流回路３０に伝送し、該整流回路３０を介して交流電流を直流電流に変換する。その後、電圧調節回路５０が、整流回路３０により変換された直流電流の電圧を電池９０の定格電圧に変換した後、さらにこの定格電圧を充電回路７０に伝送して、該充電回路７０を介して電池９０を充電する。
【００１８】
上記の実施形態から分かるように、本考案の発電装置１０は、磁石１３の誘導コイル１５に対する運動により、該誘導コイル１５内で誘導電流を生成して、発電装置１０を備えた携帯式電子装置１００を充電する。これにより、本考案の発電装置１０を備える携帯式電子装置１００は固定電源がない場所においても、携帯式電子装置１００自体の運動により磁石１３を動かし、磁石１３を誘導コイル１５に対して運動させて、該誘導コイル１５内で誘導電流を生成する。以上により、携帯式電子装置の電池９０を充電できるため、使用に非常に便利である。
【００１９】
以上、本考案の好適な実施形態について詳細に説明したが、本考案は前記実施形態に限定されるものではなく、本考案の範囲内で種々の変形又は改良が可能であり、該変形又は改良も、本考案の特許請求の範囲内に含まれることであるのは、いうまでもない。
【符号の説明】
【００２０】
１０      発電装置
１１      管状体
１３      磁石
１５      誘導コイル
１７      弾性部品
３０      整流回路
５０      電圧調節回路
７０      充電回路
９０      電池
１００    携帯式電子装置
１１１    収容空洞部
【図１】
0003182491.tif 000003
【図２】
0003182491.tif 000004